(57)【要約】【課題】遮蔽板が設けられた衛生洗浄装置において、ノズルに設けられた噴出口からボウルの前方側に水を付着させることができる衛生洗浄装置を提供する。【解決手段】ボウルを有する便器の上に設けられる衛生洗浄装置であって、ケーシングと、収納位置と進出位置との間で進退可能なノズルと、回動可能に設けられる遮蔽板と、制御部と、を備え、ノズルは、前下方に向けて水を噴出する第１噴出口を有し、制御部は、衛生洗浄装置の使用後において、遮蔽板が初期位置からノズル進出時の第１角度よりも小さい第２角度回動した第２位置にある状態で、第１噴出口から水を噴出させる前方洗浄動作を行い、前方洗浄動作において、遮蔽板の少なくとも一部は、ノズルの前端部よりも前方に位置することを特徴とする衛生洗浄装置。【選択図】図７
2020204156.tif 000002
【特許請求の範囲】
【請求項１】
ボウルを有する便器の上に設けられる衛生洗浄装置であって、
ケーシングと、
人体局部を洗浄するノズルであって、前記ケーシングに収納される収納位置と前記ケーシングから進出した進出位置との間で進退可能な前記ノズルと、
前記ケーシングに対して回動可能に設けられ、前記ノズルが前記収納位置にあるとき前記ノズルの前方に位置する遮蔽板と、
前記ノズルの動作を制御する制御部と、
を備え、
前記ノズルは、前下方に向けて水を噴出する第１噴出口を有し、
前記遮蔽板は、前記ノズルが前記収納位置にあるとき初期位置にあり、前記ノズルが前記進出位置にあるとき前記初期位置から第１角度回動した第１位置にあり、
前記制御部は、前記衛生洗浄装置の使用後において、前記遮蔽板が前記初期位置から前記第１角度よりも小さい第２角度回動した第２位置にある状態で、前記第１噴出口から水を噴出させる前方洗浄動作を行い、
前記前方洗浄動作において、前記遮蔽板の少なくとも一部は、前記ノズルの前端部よりも前方に位置することを特徴とする衛生洗浄装置。
【請求項２】
前記遮蔽板は、前記ノズルの進退により回動可能であり、
前記制御部は、前記収納位置にある前記ノズルを前記収納位置と前記進出位置との間の所定位置まで進出させることで、前記遮蔽板を前記初期位置から前記第２位置まで回動させた状態で、前記前方洗浄動作を行うことを特徴とする請求項１記載の衛生洗浄装置。
【請求項３】
前記第２角度は、前記ノズルの鉛直面に対する進出角度よりも小さいことを特徴とする請求項１または２に記載の衛生洗浄装置。
【請求項４】
前記遮蔽板の下端は、前記遮蔽板が前記第２位置にあるとき、前記第１噴出口の中心よりも下方または前記第１噴出口の中心と同じ高さに位置することを特徴とする請求項１〜３のいずれか１つに記載の衛生洗浄装置。
【請求項５】
前記第１噴出口の噴出範囲は、前記遮蔽板が前記初期位置にあるとき前記遮蔽板と重なり、前記遮蔽板が前記第２位置にあるとき前記遮蔽板と重ならないことを特徴とする請求項１〜４のいずれか１つに記載の衛生洗浄装置。
【請求項６】
便座と、
使用者の前記便座への着座を検知する着座検知センサと、
をさらに備え、
前記制御部は、前記着座検知センサが前記着座を検知した状態から前記着座を検知しない状態になると、前記前方洗浄動作を行うことを特徴とする請求項１〜５のいずれか１つに記載の衛生洗浄装置。
【請求項７】
前記ノズルは、前記第１噴出口よりも後方に向けて水を噴出する第２噴出口をさらに有することを特徴とする請求項１〜６のいずれか１つに記載の衛生洗浄装置。
【請求項８】
前記制御部は、前記遮蔽板を前記初期位置から前記第２位置に回動させる間に、前記第２噴出口から水を噴出させる後方洗浄動作を行うことを特徴とする請求項７記載の衛生洗浄装置。
【請求項９】
前記第１噴出口及び前記第２噴出口は、前記ノズルの前記前端部に設けられ、
前記第２噴出口は、前記第１噴出口の側方に設けられることを特徴とする請求項７または８に記載の衛生洗浄装置。
【発明の詳細な説明】
【技術分野】
【０００１】
本発明の態様は、一般的に、衛生洗浄装置に関する。
【背景技術】
【０００２】
従来から、便器のボウルへの汚れの付着や堆積を抑制する手段として、使用後にボウルに水または機能水を噴出することが知られている。この例として、特許文献１のように、衛生洗浄装置の人体局部洗浄用ノズルにボウルへ向けて水を噴出する噴出口を設け、ノズルをケーシングから進出させて噴出口からボウルに水を噴出するものがある。
【０００３】
しかし、この衛生洗浄装置では、ノズルはボウルの後方側に位置するケーシングから前下方に向けて進出するように設けられている。そのため、噴出口から一定の噴出角度で水を噴出する場合、ノズルを進出させると噴出口の高さ位置が低くなり、噴出口から噴出された水が付着する範囲は狭くなる。したがって、ノズルを大きく進出させた状態で噴出口から水を噴出させると、特にボウルの前方側などに水を付着させにくくなってしまう。
【０００４】
また、この衛生洗浄装置では、ケーシングに収納された状態のノズルの前方には、遮蔽板が設けられている。そのため、ノズルをケーシングに収納した状態で噴出口から水を噴出させると、噴出口の高さ位置は確保できるものの、遮蔽板に水が衝突してしまい、ボウルの前方側に水を付着させにくくなってしまう。
【先行技術文献】
【特許文献】
【０００５】
【特許文献１】特開２０１５−１０１９４２号公報
【発明の概要】
【発明が解決しようとする課題】
【０００６】
本発明は、かかる課題の認識に基づいてなされたものであり、ノズルの前方に遮蔽板が設けられた衛生洗浄装置において、ノズルに設けられた噴出口からボウルの前方側に水を付着させることができる衛生洗浄装置を提供することを目的とする。
【課題を解決するための手段】
【０００７】
第１の発明は、ボウルを有する便器の上に設けられる衛生洗浄装置であって、ケーシングと、人体局部を洗浄するノズルであって、前記ケーシングに収納される収納位置と前記ケーシングから進出した進出位置との間で進退可能な前記ノズルと、前記ケーシングに対して回動可能に設けられ、前記ノズルが前記収納位置にあるとき前記ノズルの前方に位置する遮蔽板と、前記ノズルの動作を制御する制御部と、を備え、前記ノズルは、前下方に向けて水を噴出する第１噴出口を有し、前記遮蔽板は、前記ノズルが前記収納位置にあるとき初期位置にあり、前記ノズルが前記進出位置にあるとき前記初期位置から第１角度回動した第１位置にあり、前記制御部は、前記衛生洗浄装置の使用後において、前記遮蔽板が前記初期位置から前記第１角度よりも小さい第２角度回動した第２位置にある状態で、前記第１噴出口から水を噴出させる前方洗浄動作を行い、前記前方洗浄動作において、前記遮蔽板の少なくとも一部は、前記ノズルの前端部よりも前方に位置することを特徴とする衛生洗浄装置である。
【０００８】
この衛生洗浄装置によれば、遮蔽板を初期位置から第２角度回動させた状態で第１噴出口から水を噴出させることで、第１噴出口から前下方に向けて噴出された水が遮蔽板によって妨害されることを抑制することができ、ボウルの前方側に水を付着させやすくなる。また、遮蔽板を第１角度よりも小さい第２角度回動させ、遮蔽板の少なくとも一部がノズルの前端部よりも前方に位置する状態で第１噴出口から水を噴出させることで、第１噴出口から噴出された水の一部がボウルの外に飛び出たり、閉じた便蓋に付着したりすることを抑制できる。
【０００９】
第２の発明は、第１の発明において、前記遮蔽板は、前記ノズルの進退により回動可能であり、前記制御部は、前記収納位置にある前記ノズルを前記収納位置と前記進出位置との間の所定位置まで進出させることで、前記遮蔽板を前記初期位置から前記第２位置まで回動させた状態で、前記前方洗浄動作を行うことを特徴とする衛生洗浄装置である。
【００１０】
この衛生洗浄装置によれば、ノズルの進退により回動可能な遮蔽板を設けることで、遮蔽板を自動で回動させるユニットを別途設けなくても、遮蔽板を回動させることができる。また、ノズルを所定位置まで進出させることで、ボウルの前方側に水を付着させやすくなるとともに、第１噴出口の位置が低くなるため、第１噴出口から噴出された水の一部がボウルの外に飛び出たり、閉じた便蓋に付着したりすることをより確実に抑制できる。
【００１１】
第３の発明は、第１または第２の発明において、前記第２角度は、前記ノズルの鉛直面に対する進出角度よりも小さいことを特徴とする衛生洗浄装置である。
【００１２】
この衛生洗浄装置によれば、第２角度をこのような角度にすることで、ボウルの前方側に水を付着させやすくなるとともに、第１噴出口から噴出された水の一部がボウルの外に飛び出たり、閉じた便蓋に付着したりすることをより確実に抑制できる。
【００１３】
第４の発明は、第１〜第３のいずれか１つの発明において、前記遮蔽板の下端は、前記遮蔽板が前記第２位置にあるとき、前記第１噴出口の中心よりも下方または前記第１噴出口の中心と同じ高さに位置することを特徴とする衛生洗浄装置である。
【００１４】
この衛生洗浄装置によれば、第２位置をこのような位置にすることで、ボウルの前方側に水を付着させやすくなるとともに、第１噴出口から噴出された水の一部がボウルの外に飛び出たり、閉じた便蓋に付着したりすることをより確実に抑制できる。
【００１５】
第５の発明は、第１〜第４のいずれか１つの発明において、前記第１噴出口の噴出範囲は、前記遮蔽板が前記初期位置にあるとき前記遮蔽板と重なり、前記遮蔽板が前記第２位置にあるとき前記遮蔽板と重ならないことを特徴とする衛生洗浄装置である。
【００１６】
この衛生洗浄装置によれば、第２位置をこのような位置にすることで、ボウルの前方側に水を付着させやすくなるとともに、第１噴出口から噴出された水の一部がボウルの外に飛び出たり、閉じた便蓋に付着したりすることをより確実に抑制できる。
【００１７】
第６の発明は、第１〜第５のいずれか１つの発明において、便座と、使用者の前記便座への着座を検知する着座検知センサと、をさらに備え、前記制御部は、前記着座検知センサが前記着座を検知した状態から前記着座を検知しない状態になると、前記前方洗浄動作を行うことを特徴とする衛生洗浄装置である。
【００１８】
この衛生洗浄装置によれば、使用者の離座をトリガーにして前方洗浄動作などの使用後洗浄を行うことで、衛生洗浄装置の使用直後に使用後洗浄を開始することができる。これにより、次の使用者が着座する前に使用後洗浄を完了させることができ、使用者に水がかかることを抑制できる。
【００１９】
第７の発明は、第１〜第６のいずれか１つの発明において、前記ノズルは、前記第１噴出口よりも後方に向けて水を噴出する第２噴出口をさらに有することを特徴とする衛生洗浄装置である。
【００２０】
この衛生洗浄装置によれば、第１噴出口よりも後方に向けて水を噴出する第２噴出口をさらに設けることで、第１噴出口から噴出される水が付着しにくいボウルの後方側に第２噴出口から噴出される水を付着させることができる。これにより、ボウルのより広い範囲に水を付着させることができる。
【００２１】
第８の発明は、第７の発明において、前記制御部は、前記遮蔽板を前記初期位置から前記第２位置に回動させる間に、前記第２噴出口から水を噴出させる後方洗浄動作を行うことを特徴とする衛生洗浄装置である。
【００２２】
この衛生洗浄装置によれば、遮蔽板を初期位置から第２位置に回動させる間に後方洗浄動作を行うことで、より短い時間でボウルのより広い範囲に水を付着させることができる。
【００２３】
第９の発明は、第７または第８の発明において、前記第１噴出口及び前記第２噴出口は、前記ノズルの前記前端部に設けられ、前記第２噴出口は、前記第１噴出口の側方に設けられることを特徴とする衛生洗浄装置である。
【００２４】
この衛生洗浄装置によれば、ノズルの前端部において第２噴出口を第１噴出口の側方に設けることで、ノズルの前端部において第２噴出口を第１噴出口の上方や下方に設ける場合と比べて、ノズルの前端部が上下方向に長くなることを抑制できる。これにより、遮蔽板の上下方向の長さを短くすることができ、前方洗浄動作を行う際の第２角度を小さくすることができる。第２角度を小さくすることで、第１噴出口から噴出された水の一部がボウルの外に飛び出たり、閉じた便蓋に付着したりすることをより確実に抑制できる。
【発明の効果】
【００２５】
本発明の態様によれば、ノズルの前方に遮蔽板が設けられた衛生洗浄装置において、ノズルに設けられた噴出口からボウルの前方側に水を付着させることができる衛生洗浄装置が提供される。
【図面の簡単な説明】
【００２６】
【図１】実施形態に係る衛生洗浄装置を備えたトイレ装置を模式的に表す斜視図である。
【図２】実施形態に係る衛生洗浄装置の要部構成を模式的に表すブロック図である。
【図３】図３（ａ）及び図３（ｂ）は、実施形態に係る衛生洗浄装置のノズルを模式的に表す斜視図である。
【図４】実施形態に係る衛生洗浄装置のノズルを模式的に表す正面図である。
【図５】図５（ａ）及び図５（ｂ）は、実施形態に係る衛生洗浄装置のノズル周辺を模式的に表す断面図である。
【図６】図６（ａ）及び図６（ｂ）は、実施形態に係る衛生洗浄装置のノズル周辺を模式的に表す断面図である。
【図７】実施形態に係る衛生洗浄装置のノズル周辺を模式的に表す断面図である。
【図８】実施形態に係る衛生洗浄装置の変形例のノズル周辺を模式的に表す断面図である。
【図９】実施形態に係る衛生洗浄装置の動作の一例を表すフローチャートである。
【図１０】実施形態に係る衛生洗浄装置の動作の別の一例を表すフローチャートである。
【発明を実施するための形態】
【００２７】
以下、本発明の実施の形態について図面を参照しつつ説明する。なお、各図面中、同様の構成要素には同一の符号を付して詳細な説明は適宜省略する。  
図１は、実施形態に係る衛生洗浄装置を備えたトイレ装置を模式的に表す斜視図である。  
図１に表したように、トイレ装置９００は、腰掛大便器（便器）８００と、その上に設置された衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。便器８００は、ボウル８０１を有する。
【００２８】
以下の実施形態の説明では、「上方」、「下方」、「前方」、「後方」、「右側方」、及び「左側方」を用いるが、これらの方向は、図１に表すように、便座２００に座った使用者から見た方向である。
【００２９】
ケーシング４００の内部には、便座２００に座った使用者の「おしり」などの局部の洗浄を実現する局部洗浄機能部などが内蔵されている。局部洗浄機能部は、ノズル４７３を含む。ノズル４７３は、ケーシング４００に収納される収納位置と、ケーシング４００から進出した進出位置との間で進退可能である。ノズル４７３は、ケーシング４００の前下方に位置するボウル８０１の中心に向けて直線状の軌道で進出し、ボウル８０１の後上方に位置するケーシング４００の内部に向けて直線状の軌道で後退する。なお、図１に表した衛生洗浄装置１００では、ノズル４７３が進出位置にある状態を表している。
【００３０】
衛生洗浄装置１００には、使用者の便座２００への着座を検知する着座検知センサ４０４（図２参照）が設けられている。着座検知センサ４０４が便座２００に座った使用者を検知している場合において、使用者が例えばリモコンなどの操作部５００（図２参照）を操作すると、ノズル４７３を進出位置に進出させたり、収納位置に後退させたりすることができる。
【００３１】
ノズル４７３は、ケーシング４００から進出した状態で、人体局部に向けて水（洗浄水）を吐出し、人体局部の洗浄を行う。ノズル４７３の先端部には、おしり洗浄吐水口４７４ａ、やわらか洗浄吐水口４７４ｂ、及びビデ洗浄吐水口４７４ｃが設けられている。ノズル４７３は、その先端に設けられたおしり洗浄吐水口４７４ａまたはやわらか洗浄吐水口４７４ｂから水を噴射して、便座２００に座った使用者の「おしり」を洗浄することができる。あるいは、ノズル４７３は、その先端に設けられたビデ洗浄吐水口４７４ｃから水を噴射して、便座２００に座った女性の女性局部を洗浄することができる。なお、本願明細書において「水」という場合には、冷水のみならず、加熱されたお湯も含むものとする。
【００３２】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「おしり洗浄」と、「やわらか洗浄」と、「ビデ洗浄」と、を実行することができる。
【００３３】
なお、図１に表したノズル４７３では、ビデ洗浄吐水口４７４ｃがやわらか洗浄吐水口４７４ｂよりもノズル４７３の先端側に設けられており、やわらか洗浄吐水口４７４ｂがおしり洗浄吐水口４７４ａよりもノズル４７３の先端側に設けられているが、おしり洗浄吐水口４７４ａ、やわらか洗浄吐水口４７４ｂ、及びビデ洗浄吐水口４７４ｃの設置位置は、これだけに限定されるわけではない。また、図１に表したノズル４７３では、３つの吐水口が設けられているが、例えば、やわらか洗浄吐水口４７４ｂが省略されていてもよいし、４つ以上の吐水口が設けられていてもよい。
【００３４】
図２は、実施形態に係る衛生洗浄装置の要部構成を模式的に表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する電磁弁４３１、熱交換器ユニット４４０、流路切替部４７２などの各部と、これらの各部を接続する複数の配管と、によって形成される。
【００３５】
導水部２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、管路２０ａを開閉する。電磁弁４３１を開状態にすることにより、給水源１０から供給された水が、管路２０ａに流れる。
【００３６】
電磁弁４３１の下流には、調圧弁４３２が設けられている。調圧弁４３２は、給水圧が高い場合に、管路２０ａ内の圧力を所定の圧力範囲に調整する。調圧弁４３２の下流には、逆止弁４３３が設けられている。逆止弁４３３は、管路２０ａ内の圧力が低下した場合などに、逆止弁４３３よりも上流側への水の逆流を抑制する。
【００３７】
逆止弁４３３の下流には、熱交換器ユニット４４０（加熱部）が設けられている。熱交換器ユニット４４０は、ヒータを有し、給水源１０から供給された水を加熱して例えば規定の温度まで昇温する。すなわち、熱交換器ユニット４４０は、温水を生成する。
【００３８】
熱交換器ユニット４４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００３９】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００４０】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。
【００４１】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。
【００４２】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００４３】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、導水部２０に水の流れが無い時に、管路２０ａ内に空気を取り込む。弁機構には、例えば、フロート弁が用いられる。
【００４４】
バキュームブレーカ４５２は、上記のように管路２０ａ内に空気を取り込むことにより、例えば、管路２０ａのバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００４５】
バキュームブレーカ４５２の下流には、圧力変調部４５４が設けられている。圧力変調部４５４は、導水部２０の管路２０ａ内の水の流れに脈動または加速を与え、ノズル４７３のおしり洗浄吐水口４７４ａ、やわらか洗浄吐水口４７４ｂ、及びビデ洗浄吐水口４７４ｃやノズル洗浄部４７８の吐水部から吐水される水に脈動を与える。すなわち、圧力変調部４５４は、管路２０ａ内を流れる水の流動状態を変動させる。圧力変調部４５４は、制御部４０５に接続されている。圧力変調部４５４は、制御部４０５による制御に基づいて、水の流動状態を変動させる。圧力変調部４５４は、管路２０ａ内の水の圧力を変動させる。
【００４６】
圧力変調部４５４の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄部４７８への給水の開閉や切替を行う。流量調整部４７１及び流路切替部４７２は、１つのユニットとして設けられてもよい。流量調整部４７１及び流路切替部４７２は、制御部４０５に接続されている。流量調整部４７１及び流路切替部４７２の動作は、制御部４０５によって制御される。
【００４７】
流路切替部４７２の下流には、ノズル４７３、及びノズル洗浄部４７８が設けられている。ノズル４７３は、ノズル駆動部４７６からの駆動力を受け、便器８００のボウル８０１内に進出したり、ボウル８０１内から後退したりする。
【００４８】
ノズル洗浄部４７８は、例えば、吐水部から機能水あるいは水を噴射することにより、ノズル４７３の外周表面（胴体）を洗浄する。
【００４９】
また、流路切替部４７２の下流には、導水部２０を介して給水源１０から供給された水や電解槽ユニット４５０において生成された機能水を、ノズル４７３に供給するおしり洗浄流路２１と、やわらか洗浄流路２２と、ビデ洗浄流路２３と、が設けられている。おしり洗浄流路２１は、流路切替部４７２とおしり洗浄吐水口４７４ａとを接続する。やわらか洗浄流路２２は、流路切替部４７２とやわらか洗浄吐水口４７４ｂとを接続する。ビデ洗浄流路２３は、流路切替部４７２とビデ洗浄吐水口４７４ｃとを接続する。
【００５０】
また、流路切替部４７２の下流には、表面洗浄流路２４と、第１ボウル噴出流路２５と、第２ボウル噴出流路２６と、が設けられている。表面洗浄流路２４は、導水部２０を介して給水源１０から供給された水や電解槽ユニット４５０において生成された機能水をノズル洗浄部４７８の吐水部へ導く。第１ボウル噴出流路２５及び第２ボウル噴出流路２６は、導水部２０を介して給水源１０から供給された水や電解槽ユニット４５０において生成された機能水をノズル４７３の噴出口４７９（後述の第１噴出口４７９ａ及び第２噴出口４７９ｂ）へ導く。噴出口４７９に供給された水または機能水は、噴出口４７９からボウル８０１に向けて噴出される。なお、第２噴出口４７９ｂが設けられない場合、第２ボウル噴出流路２６は、省略可能である。
【００５１】
制御部４０５は、流路切替部４７２を制御することにより、おしり洗浄流路２１、やわらか洗浄流路２２、ビデ洗浄流路２３、表面洗浄流路２４、第１ボウル噴出流路２５、及び第２ボウル噴出流路２６の各流路の開閉を切り替える。このように、流路切替部４７２は、おしり洗浄吐水口４７４ａ、やわらか洗浄吐水口４７４ｂ、ビデ洗浄吐水口４７４ｃ、ノズル洗浄部４７８、及び噴出口４７９などの複数の吐水口のそれぞれについて、管路２０ａに連通させた状態と、管路２０ａに連通させない状態と、を切り替える。
【００５２】
制御部４０５は、電源回路４０１から電力を供給され、着座検知センサ４０４や、流量センサ４４２や、操作部５００などからの信号に基づいて、電磁弁４３１や、熱交換器ユニット４４０や、電解槽ユニット４５０や、圧力変調部４５４や、流量調整部４７１や、流路切替部４７２や、ノズル駆動部４７６などの動作を制御する。これにより、制御部４０５は、ノズル４７３の動作を制御する。
【００５３】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００５４】
図３（ａ）及び図３（ｂ）は、実施形態に係る衛生洗浄装置のノズルを模式的に表す斜視図である。  
図４は、実施形態に係る衛生洗浄装置のノズルを模式的に表す正面図である。  
図５（ａ）及び図５（ｂ）は、実施形態に係る衛生洗浄装置のノズル周辺を模式的に表す断面図である。  
図５（ａ）及び図５（ｂ）は、図１に示すＡ１−Ａ２線による断面のうち、ノズル４７３の周辺を表す。
【００５５】
図３（ａ）、図３（ｂ）、図４、図５（ａ）、及び図５（ｂ）に表したように、ノズル４７３は、例えば、ノズルヘッド４７３ａと、ノズルカバー４７３ｂと、を有する。ノズルヘッド４７３ａは、ノズルカバー４７３ｂの内部に収納されている。換言すれば、ノズルカバー４７３ｂは、ノズルヘッド４７３ａを覆っている。
【００５６】
ノズルヘッド４７３ａには、人体局部に向けて水を吐出する吐水口４７４（おしり洗浄吐水口４７４ａ、やわらか洗浄吐水口４７４ｂ、及びビデ洗浄吐水口４７４ｃ）と、ボウル８０１に向けて水を噴出する噴出口４７９（第１噴出口４７９ａ及び第２噴出口４７９ｂ）と、が設けられている。ノズルヘッド４７３ａは、おしり洗浄流路２１、やわらか洗浄流路２２、ビデ洗浄流路２３、第１ボウル噴出流路２５、及び第２ボウル噴出流路２６に接続されている。
【００５７】
ノズルカバー４７３ｂには、吐水口４７４（おしり洗浄吐水口４７４ａ、やわらか洗浄吐水口４７４ｂ、及びビデ洗浄吐水口４７４ｃ）と連通する孔部４７５ａと、噴出口４７９（第１噴出口４７９ａ及び第２噴出口４７９ｂ）を露出させる切り欠き部４７５ｂと、が設けられている。図４に表したように、切り欠き部４７５ｂは、例えば、ノズル４７３の前端部４７７の上下方向の中央ＣＬ１よりも下方に設けられる。
【００５８】
このように、第１噴出口４７９ａ及び第２噴出口４７９ｂを露出させる切り欠き部４７５ｂを、ノズル４７３の前端部４７７の上下方向の中央ＣＬ１よりも下方に設けることで、使用者から見たときに切り欠き部４７５ｂを目立ちにくくすることができる。これにより、意匠性を向上させることができる。
【００５９】
以下、第１噴出口４７９ａ及び第２噴出口４７９ｂについて、詳しく説明する。  
図５（ａ）は、第１噴出口４７９ａから水を噴出している状態（すなわち、後述の前方洗浄動作）を表している。図５（ｂ）は、第２噴出口４７９ｂから水を噴出している状態（すなわち、後述の後方洗浄動作）を表している。
【００６０】
第１噴出口４７９ａ及び第２噴出口４７９ｂは、例えば、霧状の水を噴出する。第１噴出口４７９ａ及び第２噴出口４７９ｂから噴出される水の粒径は、例えば、おしり洗浄吐水口４７４ａ、やわらか洗浄吐水口４７４ｂ、及びビデ洗浄吐水口４７４ｃから噴出される水の粒径よりも小さい。第１噴出口４７９ａ及び第２噴出口４７９ｂから噴出される水の粒径は、例えば、約４００μｍ程度である。
【００６１】
図５（ａ）に表したように、第１噴出口４７９ａは、前下方に向けて開口している。第１噴出口４７９ａは、前下方に向けて水を噴出する。より具体的には、第１噴出口４７９ａは、水平面ＨＰに対して第１噴出角度θ１で水を噴出する。第１噴出角度θ１は、第１噴出口４７９ａから噴出される水の第１噴出方向Ｄ１と水平面ＨＰとのなす角度である。第１噴出方向Ｄ１は、例えば、第１噴出口４７９ａから噴射される水の噴出範囲Ｒ１の中心線で表すことができる。第１噴出方向Ｄ１は、例えば、第１噴出口４７９ａの法線で表してもよい。
【００６２】
第１噴出角度θ１は、例えば、水平面ＨＰに対するノズル４７３の進出角度θ３よりも大きい。進出角度θ３は、ノズル４７３の進出方向ＥＤと水平面ＨＰとのなす角度である。換言すれば、第１噴出口４７９ａは、例えば、ノズル４７３の進出方向ＥＤよりも後方に向けて水を噴出する。第１噴出角度θ１は、鋭角である。第１噴出角度θ１は、例えば、３８度以上７２度以下である。
【００６３】
図５（ｂ）に表したように、第２噴出口４７９ｂは、第１噴出口４７９ａよりも後方に向けて開口している。第２噴出口４７９ｂは、第１噴出口４７９ａよりも後方に向けて水を噴出する。より具体的には、第２噴出口４７９ｂは、水平面ＨＰに対して第２噴出角度θ２で水を噴出する。第２噴出角度θ２は、第２噴出口４７９ｂから噴出される水の第２噴出方向Ｄ２と水平面ＨＰとのなす角度である。第２噴出方向Ｄ２は、例えば、第２噴出口４７９ｂから噴射される水の噴出範囲Ｒ２の中心線で表すことができる。第２噴出方向Ｄ２は、例えば、第２噴出口４７９ｂの法線で表してもよい。
【００６４】
第２噴出角度θ２は、例えば、水平面ＨＰに対するノズル４７３の進出角度θ３よりも大きい。換言すれば、第２噴出口４７９ｂは、例えば、ノズル４７３の進出方向ＥＤよりも後方に向けて水を噴出する。第２噴出角度θ２は、第１噴出角度θ１よりも大きい。換言すれば、第２噴出口４７９ｂは、第１噴出口４７９ａよりも後方に向けて水を噴出する。第２噴出角度θ２は、例えば、７２度以上９０度以下である。
【００６５】
このように、前後方向において異なる向きに水を噴出する２つの噴出口４７９（第１噴出口４７９ａ及び第２噴出口４７９ｂ）を設けることで、ボウル８０１のより広い範囲に水を付着させることができる。より具体的には、前下方に向けて水を噴出する第１噴出口４７９ａによりボウル８０１の前方側に水を付着させるとともに、第１噴出口４７９ａよりも後方に向けて水を噴出する第２噴出口４７９ｂによりボウル８０１の後方側に水を付着させることができる。これにより、第１噴出口４７９ａから噴出される水が付着しにくいボウル８０１の後方側に第２噴出口４７９ｂから噴出される水を付着させることができ、ボウル８０１のより広い範囲に水を付着させることができる。
【００６６】
また、図４に表したように、第２噴出口４７９ｂは、第１噴出口４７９ａの側方に設けられる。より具体的には、第２噴出口４７９ｂは、上下方向において第１噴出口４７９ａと重ならない。第２噴出口４７９ｂの少なくとも一部は、例えば、左右方向において第１噴出口４７９ａと重なる。また、例えば、第１噴出口４７９ａは、ノズル４７３の前端部４７７の左右方向の中央ＣＬ２よりも一方側（この例では左側）に位置し、第２噴出口４７９ｂは、左右方向の中央ＣＬ２よりも他方側（この例では右側）に位置する。
【００６７】
なお、第１噴出口４７９ａがノズル４７３の前端部４７７の左右方向の中央ＣＬ２よりも右側に位置し、第２噴出口４７９ｂが左右方向の中央ＣＬ２よりも左側に位置していてもよい。換言すれば、第１噴出口４７９ａの左右方向の位置と第２噴出口４７９ｂの左右方向の位置とは、逆であってもよい。
【００６８】
このように、第２噴出口４７９ｂを第１噴出口４７９ａの側方に設けることで、第１噴出口４７９ａの水を噴出する向きと第２噴出口４７９ｂの水を噴出する向きとが異なる場合にも、一方の噴出口４７９（例えば、第２噴出口４７９ｂ）から噴出された水が他方の噴出口４７９（例えば、第１噴出口４７９ａ）に当たってしまうことを抑制できる。これにより、それぞれの噴出口４７９の水を噴出する向きの設計の自由度を向上させることができる。したがって、第１噴出口４７９ａからより前方に向けて水を噴出させることができ、ボウル８０１の前方側により水を付着させやすくすることができる。
【００６９】
また、図４に表したように、第１噴出口４７９ａは、例えば、第２噴出口４７９ｂよりも上方に位置する。より具体的には、第１噴出口４７９ａの中心Ｃ１は、第２噴出口４７９ｂの中心Ｃ２よりも上方に位置する。
【００７０】
このように、第１噴出口４７９ａの中心Ｃ１を第２噴出口４７９ｂの中心Ｃ２よりも上方に配置することで、一方の噴出口４７９（例えば、第２噴出口４７９ｂ）から噴出された水が他方の噴出口４７９（例えば、第１噴出口４７９ａ）に当たってしまうことをより確実に抑制することができる。
【００７１】
また、図４に表したように、第１噴出口４７９ａ及び第２噴出口４７９ｂは、例えば、ノズル４７３の前端部４７７に設けられる。より具体的には、第１噴出口４７９ａ及び第２噴出口４７９ｂは、例えば、ノズル４７３の前端部４７７において、上下方向の中央ＣＬ１よりも下方に設けられる。
【００７２】
このように、第１噴出口４７９ａ及び第２噴出口４７９ｂをノズル４７３の前端部４７７に設けることで、第１噴出口４７９ａからより前方に向けて水を噴出させることができる。これにより、ボウル８０１の前方側により水を付着させやすくすることができる。
【００７３】
なお、実施形態において、第２噴出口４７９ｂは、必要に応じて設けられ、省略可能である。換言すれば、ノズル４７３は、少なくとも第１噴出口４７９ａを有していればよい。第２噴出口４７９ｂが設けられない場合、第１噴出口４７９ａは、例えば、ノズル４７３の前端部４７７の左右方向の中央ＣＬ２と重なるように設けられる。
【００７４】
図６（ａ）及び図６（ｂ）は、実施形態に係る衛生洗浄装置のノズル周辺を模式的に表す断面図である。  
図６（ａ）は、ノズル４７３が収納位置にある状態を表している。図６（ｂ）は、ノズル４７３が進出位置にある状態を表している。
【００７５】
図６（ａ）及び図６（ｂ）に表したように、実施形態に係る衛生洗浄装置１００は、遮蔽板６００を備える。遮蔽板６００は、ケーシング４００に対して回動可能に設けられる。
【００７６】
図６（ａ）に表したように、ノズル４７３が収納位置にあるとき、遮蔽板６００は、初期位置にある。遮蔽板６００は、初期位置にあるとき、ノズル４７３の前方に位置する。図６（ｂ）に表したように、ノズル４７３が進出位置にあるとき、遮蔽板６００は、第１位置にある。遮蔽板６００は、第１位置にあるとき、ノズル４７３の上方に位置する。
【００７７】
ノズル４７３が収納位置から進出位置に進出すると、遮蔽板６００は、初期位置から第１位置に回動する。第１位置は、初期位置から第１角度ψ１回動した位置である。
【００７８】
初期位置において、遮蔽板６００は、例えば、鉛直面ＶＰに対して平行に設けられる。初期位置において、遮蔽板６００は、例えば、鉛直面ＶＰに対して０度を超え３度以下傾いていてもよい。換言すれば、初期位置における遮蔽板６００の第１傾斜方向Ｔ１と鉛直面ＶＰとのなす角度は、例えば、０度以上３度以下である。第１傾斜方向Ｔ１は、例えば、初期位置における遮蔽板６００の軸支部６０１から下方に延びる下延部６０２に沿う直線で表すことができる。第１傾斜方向Ｔ１は、例えば、初期位置における遮蔽板６００の上端と下端とを結ぶ直線で表してもよい。
【００７９】
第１角度ψ１は、初期位置における遮蔽板６００の第１傾斜方向Ｔ１と第１位置における遮蔽板６００の第２傾斜方向Ｔ２とのなす角度である。第２傾斜方向Ｔ２は、例えば、第１位置における遮蔽板６００の軸支部６０１から下方に延びる下延部６０２に沿う直線で表すことができる。第２傾斜方向Ｔ２は、例えば、第１位置における遮蔽板６００の上端と下端とを結ぶ直線で表してもよい。第１角度ψ１は、例えば、２５度以上４５度以下である。
【００８０】
図７は、実施形態に係る衛生洗浄装置のノズル周辺を模式的に表す断面図である。  
実施形態において、制御部４０５は、衛生洗浄装置１００の使用後に、使用後洗浄を行う。使用後洗浄において、制御部４０５は、図７に表したように、遮蔽板６００が初期位置から第２角度ψ２回動した第２位置にある状態で、第１噴出口４７９ａから水を噴出させる前方洗浄動作を行う。
【００８１】
第２角度ψ２は、初期位置における遮蔽板６００の第１傾斜方向Ｔ１と第２位置における遮蔽板６００の第３傾斜方向Ｔ３とのなす角度である。第３傾斜方向Ｔ３は、例えば、第２位置における遮蔽板６００の軸支部６０１から下方に延びる下延部６０２に沿う直線で表すことができる。第３傾斜方向Ｔ３は、例えば、第２位置における遮蔽板６００の上端と下端とを結ぶ直線で表してもよい。第２角度ψ２は、例えば、３度以上２５度以下である。
【００８２】
第２角度ψ２は、０度よりも大きい。第２角度ψ２は、第１角度ψ１よりも小さい。すなわち、前方洗浄動作を行うときの（第２位置における）遮蔽板６００は、ノズル４７３が収納位置にあるときの（初期位置における）遮蔽板６００よりも開いた状態であり、かつノズル４７３が進出位置にあるときの（第１位置における）遮蔽板６００よりも閉じた状態である。また、前方洗浄動作において（遮蔽板６００が第２位置にあるとき）、遮蔽板６００の少なくとも一部は、ノズル４７３の前端部４７７よりも前方に位置する。
【００８３】
このように、遮蔽板６００を初期位置から第２角度ψ２回動させた状態で第１噴出口４７９ａから水を噴出させることで、第１噴出口４７９ａから前下方に向けて噴出された水が遮蔽板６００によって妨害されることを抑制することができ、ボウル８０１の前方側に水を付着させやすくなる。
【００８４】
また、遮蔽板６００を第１角度ψ１よりも小さい第２角度ψ２回動させ、遮蔽板６００の少なくとも一部がノズル４７３の前端部４７７よりも前方に位置する状態で第１噴出口４７９ａから水を噴出させることで、第１噴出口４７９ａから噴出された水の一部がボウル８０１の外に飛び出たり、閉じた便蓋３００に付着したりすることを抑制できる。
【００８５】
この例では、遮蔽板６００は、ノズル４７３の進退により回動可能である。制御部４０５は、収納位置にあるノズル４７３を収納位置と進出位置との間の所定位置まで進出させることで、遮蔽板６００を所定位置から第２位置まで回動させた状態で、前方洗浄動作を行う。
【００８６】
このように、ノズル４７３の進退により回動可能な遮蔽板６００を設けることで、遮蔽板６００を自動で回動させるユニットを別途設けなくても、遮蔽板６００を回動させることができる。また、ノズル４７３を所定位置まで進出させることで、ボウル８０１の前方側に水を付着させやすくなるとともに、第１噴出口４７９ａの位置が低くなるため、第１噴出口４７９ａから噴出された水の一部がボウルの外に飛び出たり、閉じた便蓋３００に付着したりすることをより確実に抑制できる。
【００８７】
図７に表したように、第２角度ψ２は、例えば、ノズル４７３の鉛直面ＶＰに対する進出角度ψ３よりも小さい。進出角度ψ３は、ノズル４７３の進出方向ＥＤと鉛直面ＶＰとのなす角度である。第２角度ψ２をこのような角度にすることで、ボウル８０１の前方側に水を付着させやすくなるとともに、第１噴出口４７９ａから噴出された水の一部がボウル８０１の外に飛び出たり、閉じた便蓋３００に付着したりすることをより確実に抑制できる。
【００８８】
また、遮蔽板６００の下端は、例えば、遮蔽板６００が第２位置にあるとき、第１噴出口４７９ａの中心Ｃ１よりも下方または第１噴出口４７９ａの中心Ｃ１と同じ高さに位置する。換言すれば、第２角度ψ２は、例えば、遮蔽板６００の下端が第１噴出口４７９ａの中心Ｃ１よりも下方または第１噴出口４７９ａの中心Ｃ１と同じ高さに位置するような角度に設定される。第２角度ψ２をこのような角度にすることで（第２位置をこのような位置にすることで）、ボウル８０１の前方側に水を付着させやすくなるとともに、第１噴出口４７９ａから噴出された水の一部がボウル８０１の外に飛び出たり、閉じた便蓋３００に付着したりすることをより確実に抑制できる。
【００８９】
図６（ａ）及び図７において、噴出範囲Ｒ１は、第１噴出口４７９ａから水を噴出した場合の噴出範囲を表している。図６（ａ）に表したように、遮蔽板６００が初期位置にあるとき、噴出範囲Ｒ１は、遮蔽板６００と重なる。つまり、遮蔽板６００が初期位置にある状態で、第１噴出口４７９ａから水を噴出すると、遮蔽板６００により妨害されてしまう。
【００９０】
これに対し、図７に表したように、遮蔽板６００が第２位置にあるとき、噴出範囲Ｒ１は、遮蔽板６００と重ならない。換言すれば、第２角度ψ２は、例えば、第１噴出口４７９ａの噴出範囲Ｒ１が遮蔽板６００と重ならないような角度に設定される。第２角度ψ２をこのような角度にすることで（第２位置をこのような位置にすることで）、ボウル８０１の前方側に水を付着させやすくなるとともに、第１噴出口４７９ａから噴出された水の一部がボウル８０１の外に飛び出たり、閉じた便蓋３００に付着したりすることをより確実に抑制できる。
【００９１】
図４に表したように、実施形態において、第１噴出口４７９ａ及び第２噴出口４７９ｂは、ノズル４７３の前端部４７７に設けられている。また、第２噴出口４７９ｂは、第１噴出口４７９ａの側方に設けられている。このように、ノズル４７３の前端部４７７において第２噴出口４７９ｂを第１噴出口４７９ａの側方に設けることで、ノズルの前端部４７７において第２噴出口４７９ｂを第１噴出口４７９ａの上方や下方に設ける場合と比べて、ノズル４７３の前端部４７７が上下方向に長くなることを抑制できる。これにより、遮蔽板６００の上下方向の長さを短くすることができ、前方洗浄動作を行う際の第２角度ψ２を小さくすることができる。第２角度ψ２を小さくすることで、第１噴出口４７９ａから噴出された水の一部がボウル８０１の外に飛び出たり、閉じた便蓋３００に付着したりすることをより確実に抑制できる。
【００９２】
なお、使用後洗浄において噴出口４７９から噴出される水は、電解槽ユニット４５０において生成された機能水であってもよい。
【００９３】
図８は、実施形態に係る衛生洗浄装置の変形例のノズル周辺を模式的に表す断面図である。  
実施形態において、衛生洗浄装置１００は、遮蔽板６００を自動で回動させるユニット（駆動ユニット）を有していてもよい。この場合、制御部４０５は、図８に表したように、ノズル４７３を進出させずに、遮蔽板６００を駆動ユニットによって初期位置から第２位置に回動させて、前方洗浄動作を行ってもよい。
【００９４】
この例においても、遮蔽板６００を初期位置から第２角度ψ２回動させた状態で第１噴出口４７９ａから水を噴出させることで、第１噴出口４７９ａから前下方に向けて噴出された水が遮蔽板６００によって妨害されることを抑制することができ、ボウル８０１の前方側に水を付着させやすくなる。
【００９５】
図９は、実施形態に係る衛生洗浄装置の動作の一例を表すフローチャートである。  
以下、図９を参照しながら、使用後洗浄において、第１噴出口４７９ａからの水の噴出（前方洗浄動作）のみを行う場合のフローの一例について説明する。
【００９６】
図９に表したように、この例では、制御部４０５は、着座検知センサ４０４が着座を検知した状態から着座を検知しない状態になると（ステップＳ１０１：Ｙｅｓ）、所定位置までノズル４７３を進出させる（ステップＳ１０２）。これにより、遮蔽板６００を初期位置から第２位置に回動させた状態にすることができる。
【００９７】
このように、使用者の離座をトリガーにして前方洗浄動作などの使用後洗浄を行うことで、衛生洗浄装置１００の使用直後に使用後洗浄を開始することができる。これにより、次の使用者が着座する前に使用後洗浄を完了させることができ、使用者に水がかかることを抑制できる。
【００９８】
なお、使用後洗浄のトリガーは、使用者の離座に限定されない。制御部４０５は、例えば、使用者のトイレ室からの退室や、便器洗浄のボタン操作などをトリガーにして、使用後洗浄を行ってもよい。
【００９９】
所定位置までノズル４７３を進出させると、制御部４０５は、第１噴出口４７９ａからの水の噴出（前方洗浄動作）を開始させる（ステップＳ１０３）。第１噴出口４７９ａからの水の噴出を所定時間（例えば、６秒間）行ったら（ステップＳ１０４：Ｙｅｓ）、制御部４０５は、第１噴出口４７９ａからの水の噴出（前方洗浄動作）を停止させる（ステップＳ１０５）。
【０１００】
第１噴出口４７９ａからの水の噴出を停止させると、制御部４０５は、収納位置までノズル４７３を後退させる（ステップＳ１０６）。
【０１０１】
ステップＳ１０３は、ステップＳ１０２の開始後、ステップＳ１０２が完了する前に行われてもよい。すなわち、制御部４０５は、ノズル４７３を進出させながら、第１噴出口４７９ａからの水の噴出を開始させてもよい。また、ステップＳ１０３は、ステップＳ１０２の前に行われてもよい。すなわち、制御部４０５は、ノズル４７３の進出前に第１噴出口４７９ａからの水の噴出を開始させてもよい。
【０１０２】
ステップＳ１０５は、ステップＳ１０６の後に行われてもよい。すなわち、制御部４０５は、ノズル４７３の後退後に第１噴出口４７９ａからの水の噴出を停止させてもよい。また、ステップＳ１０５は、ステップＳ１０６の開始後、ステップＳ１０６が完了する前に行われてもよい。すなわち、制御部４０５は、ノズル４７３を後退させながら、第１噴出口４７９ａからの水の噴出を停止させてもよい。
【０１０３】
図１０は、実施形態に係る衛生洗浄装置の動作の別の一例を表すフローチャートである。
以下、図１０を参照しながら、使用後洗浄において、第１噴出口４７９ａからの水の噴出（前方洗浄動作）及び第２噴出口４７９ｂからの水の噴出（後方洗浄動作）を行う場合のフローの一例について説明する。
【０１０４】
図１０に表したように、この例では、制御部４０５は、着座検知センサ４０４が着座を検知した状態から着座を検知しない状態になると（ステップＳ２０１：Ｙｅｓ）、第２噴出口４７９ｂからの水の噴出（後方洗浄動作）を開始させる（ステップＳ２０２）。
【０１０５】
第２噴出口４７９ｂからの水の噴出を開始させると、制御部４０５は、第２噴出口４７９ｂから水を噴出させた状態で、所定位置までノズル４７３を進出させる（ステップＳ２０３）。これにより、遮蔽板６００を初期位置から第２位置に回動させた状態にすることができる。すなわち、制御部４０５は、遮蔽板６００を初期位置から第２位置に回動させる間に、第２噴出口４７９ｂから水を噴出させる後方洗浄動作を行う。
【０１０６】
このように、遮蔽板６００を初期位置から第２位置に回動させる間に後方洗浄動作を行うことで、より短い時間でボウル８０１のより広い範囲に水を付着させることができる。
【０１０７】
所定位置までノズル４７３を進出させると、制御部４０５は、第２噴出口４７９ｂからの水の噴出（後方洗浄動作）を停止させる（ステップＳ２０４）とともに、第１噴出口４７９ａからの水の噴出（前方洗浄動作）を開始させる（ステップＳ２０５）。
【０１０８】
第１噴出口４７９ａからの水の噴出を所定時間（例えば、６秒間）行ったら（ステップＳ２０６：Ｙｅｓ）、制御部４０５は、第１噴出口４７９ａからの水の噴出（前方洗浄動作）を停止させる（ステップＳ２０７）とともに、第２噴出口４７９ｂからの水の噴出（後方洗浄動作）を開始させる（ステップＳ２０８）。
【０１０９】
第２噴出口４７９ｂからの水の噴出を開始させると、制御部４０５は、第２噴出口４７９ｂから水を噴出させた状態で、収納位置までノズル４７３を後退させる（ステップＳ２０９）。
【０１１０】
収納位置までノズル４７３を後退させると、制御部４０５は、第２噴出口４７９ｂからの水の噴出（後方洗浄動作）を停止させる（ステップＳ２１０）。
【０１１１】
ステップＳ２０２は、ステップＳ２０３の開始後、ステップＳ２０３が完了する前に行われてもよい。すなわち、制御部４０５は、ノズル４７３を進出させながら、第２噴出口４７９ｂからの水の噴出を開始させてもよい。
【０１１２】
また、ステップＳ２０４及びステップＳ２０５は、ステップＳ２０３の開始後、ステップＳ２０３が完了する前に行われてもよい。すなわち、制御部４０５は、ノズル４７３を進出させながら、第２噴出口４７９ｂからの水の噴出を停止させてもよいし、ノズル４７３を進出させながら、第１噴出口４７９ａからの水の噴出を開始させてもよい。
【０１１３】
ステップＳ２１０は、ステップＳ２０９の開始後、ステップＳ２０９が完了する前に行われてもよい。すなわち、制御部４０５は、ノズル４７３を後退させながら、第２噴出口４７９ｂからの水の噴出を停止させてもよい。
【０１１４】
また、ステップＳ２０７及びステップＳ２０８は、ステップＳ２０９の開始後、ステップＳ２０９が完了する前に行われてもよい。すなわち、制御部４０５は、ノズル４７３を後退させながら、第１噴出口４７９ａからの水の噴出を停止させてもよいし、ノズル４７３を進出させながら、第２噴出口４７９ｂからの水の噴出を開始させてもよい。
【０１１５】
また、ステップＳ２０２及びステップＳ２０４は、必要に応じて行われ、省略可能である。すなわち、前方洗浄動作の前に行われる後方洗浄動作は、必要に応じて行われ、省略可能である。同様に、ステップＳ２０８及びステップＳ２１０は、必要に応じて行われ、省略可能である。すなわち、前方洗浄動作の後に行われる後方洗浄動作は、必要に応じて行われ、省略可能である。実施形態においては、前方洗浄動作の前及び前方洗浄動作の後の少なくともいずれかにおいて、後方洗浄動作を行うことが好ましい。
【０１１６】
また、実施形態において、制御部４０５は、衛生洗浄装置１００の使用前に、使用前洗浄を行ってもよい。より具体的には、制御部４０５は、例えば、着座検知センサ４０４が着座を検知しない状態から着座を検知した状態になると、使用前洗浄を行ってもよい。
【０１１７】
なお、使用前洗浄のトリガーは、使用者の着座に限定されない。制御部４０５は、例えば、使用者のトイレ室への入室や、便蓋３００を開くためのボタン操作などをトリガーにして、使用前洗浄を行ってもよい。使用前洗浄は、上記の図９及び図１０に示したフローと同様のフローで行うことができる。
【０１１８】
以上のように、実施形態によれば、ノズル４７３の前方に遮蔽板６００が設けられた衛生洗浄装置１００において、ノズル４７３に設けられた噴出口４７９からボウル８０１の前方側に水を付着させることができる衛生洗浄装置１００を提供できる。
【０１１９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１２０】
１０ 給水源、  ２０ 導水部、  ２１  おしり洗浄流路、  ２２ やわらか洗浄流路、  ２３ ビデ洗浄流路、  ２４ 表面洗浄流路、  ２５ 第１ボウル噴出流路、  ２６ 第２ボウル噴出流路、  １００ 衛生洗浄装置、  ２００ 便座、  ３００ 便蓋、  ４００ ケーシング、  ４０１ 電源回路、  ４０４ 着座検知センサ、  ４０５ 制御部、  ４０７ 排気口、  ４０８ 排出口、  ４３１ 電磁弁、  ４３２ 調圧弁、  ４３３ 逆止弁、  ４４０ 熱交換器ユニット、  ４４２ 流量センサ、  ４５０ 電解槽ユニット、  ４５２ バキュームブレーカ、  ４５４ 圧力変調部、  ４７１ 流量調整部、  ４７２ 流路切替部、  ４７３ ノズル、  ４７３ａ ノズルヘッド、  ４７３ｂ ノズルカバー、  ４７４ 吐水口、  ４７４ａ おしり洗浄吐水口、  ４７４ｂ やわらか洗浄吐水口、  ４７４ｃ ビデ洗浄吐水口、  ４７５ａ 孔部、  ４７５ｂ 切り欠き部、  ４７６ ノズル駆動部、  ４７７ 前端部、  ４７８ ノズル洗浄部、  ４７９ 噴出口、  ４７９ａ、４７９ｂ 第１、第２噴出口、  ５００ 操作部、  ６００ 遮蔽板、  ６０１ 軸支部、  ６０２ 下延部、  ８００ 便器、  ８０１ ボウル、  ９００ トイレ装置、  Ｃ１、Ｃ２ 中心、  ＣＬ１、ＣＬ２ 中央、  Ｄ１、Ｄ２ 第１、第２噴出方向、  ＥＤ 進出方向、  ＨＰ 水平面、  Ｒ１、Ｒ２ 噴出範囲、  Ｔ１〜Ｔ３ 第１〜第３傾斜方向、  ＶＰ 鉛直面、  θ１、θ２ 第１、第２噴出角度、  θ３ 進出角度、  ψ１、ψ２ 第１、第２角度、  ψ３ 進出角度
【図１】
2020204156.tif 000003
【図２】
2020204156.tif 000004
【図３】
2020204156.tif 000005
【図４】
2020204156.tif 000006
【図５】
2020204156.tif 000007
【図６】
2020204156.tif 000008
【図７】
2020204156.tif 000009
【図８】
2020204156.tif 000010
【図９】
2020204156.tif 000011
【図１０】
2020204156.tif 000012